(57)【要約】【課題】従来と同様にドレン水の飛散を抑制し、従来よりも筐体の省サイズ化可能又は同一の筐体サイズで室内熱交換器の拡大による性能向上が可能で且つ作業性の良い空気調和機の室内機を得る。【解決手段】内外接続線１６によって室外機と接続される空気調和機の室内機１００であって、筐体１と、筐体１の内部に設けられた室内熱交換器２と、室内熱交換器２の側端の少なくとも一部を覆うドレンカバー１０と、ドレンカバー１０よりも筐体１の前面側に、内外接続線１６が接続される端子台ユニット１５とを備え、ドレンカバー１０は、内外接続線１６を端子台ユニット１５に接続するように案内する配線ガイド１０ａを有する。【選択図】図１０
2016038170.tif 000002
【特許請求の範囲】
【請求項１】
内外接続線によって室外機と接続される空気調和機の室内機であって、
筐体と、
前記筐体の内部に設けられた室内熱交換器と、
前記室内熱交換器の側端の少なくとも一部を覆うドレンカバーと、
前記ドレンカバーよりも前記筐体の前面側に、前記内外接続線が接続される端子台ユニットとを備え、
前記ドレンカバーは、
前記内外接続線を前記端子台ユニットに接続するように案内する配線ガイドを有する
ことを特徴とする空気調和機の室内機。
【請求項２】
前記端子台ユニットは、前記内外接続線と接続される接続部を有し、
前記接続部は、前記筐体の正面視において、前記配線ガイドの直上に設けられている
ことを特徴とする請求項１に記載の空気調和機の室内機。
【請求項３】
前記配線ガイドは、
前記筐体の前面側に向かうにつれて上方に傾斜する
ことを特徴とする請求項１又は請求項２に記載の空気調和機の室内機。
【請求項４】
前記配線ガイドは、前記側端から外方に向かって開口し前記内外接続線が収納される溝部を有する
ことを特徴とする請求項１〜請求項３の何れか一項に記載の空気調和機の室内機。
【請求項５】
前記配線ガイドを覆う配線カバーを備え、
前記配線ガイドが前記配線カバーで覆われた状態において、前記配線ガイドの内面側及び前記配線カバーの内面側には挿入空間が設けられ、
前記挿入空間よりも前記筐体の背面側において前記挿入空間の内部と前記挿入空間の外部とを連通する第１開口部と、
前記挿入空間よりも前記筐体の前面側において前記挿入空間の内部と前記挿入空間の外部とを連通する第２開口部とが設けられている
ことを特徴とする請求項１〜請求項４の何れか一項に記載の空気調和機の室内機。
【請求項６】
前記配線ガイドは筒形状であり、
前記配線ガイドの内面側には挿入空間が設けられ、
前記挿入空間よりも前記筐体の背面側において前記挿入空間の内部と前記挿入空間の外部とを連通する第１開口部と、
前記挿入空間よりも前記筐体の前面側において前記挿入空間の内部と前記挿入空間の外部とを連通する第２開口部とが設けられている
ことを特徴とする請求項１〜請求項３の何れか一項に記載の空気調和機の室内機。
【請求項７】
前記室内熱交換器よりも前方に設けられる電気品箱を備えた
ことを特徴とする請求項１〜請求項６の何れか一項に記載の空気調和機の室内機。
【発明の詳細な説明】
【技術分野】
【０００１】
本発明は、空気調和機の室内機に関する。
【背景技術】
【０００２】
従来から、室内熱交換器の両側端のうち室外機と接続する側の一側端の外側に露出する配管部と、室外機に接続される接続配管部とにおいて発生するドレン水を回収する構造を有する空気調和装置（室内機）が知られている。このような空気調和装置として、例えば従来、筐体と、この筐体に固定される熱交換器（室内熱交換器）と、この熱交換器の右側端部の熱交換器配管群よりも右側に設けられる電磁弁と、この電磁弁の右側に設けられる電気品ユニットと、この電磁弁の正面側に設けられるドレンカバーと、ドレンカバーの下方に設けられるドレンパンとを備えたものがあった（例えば、特許文献１参照）。特許文献１に記載のドレンカバーは、筐体の内部において発生し筐体の前面側へ飛散するドレン水を受け、受けたドレン水をドレンパンに案内するように機能する。
【先行技術文献】
【特許文献】
【０００３】
【特許文献１】特開２００１−９０９８６号公報（第３頁、第４頁、図２、図３）
【発明の概要】
【発明が解決しようとする課題】
【０００４】
しかしながら、特許文献１に記載の空気調和装置のドレンカバーは、ドレン水の飛散を抑制するために、室内熱交換器の能力帯によって変わる多種な配管に関わらず取付可能（共有可能）にする必要がある。すなわち、室内熱交換器の能力帯の大きな配管に合わせてドレンカバーの形状を決定する必要がある。
【０００５】
ここで、室内熱交換器の能力帯の大きな配管に合わせてドレンカバーを大きくすると、内外接続線や室内機ユニット内のリード線の取り回しスペースが減少したり、リード線の取り回し作業が困難になるという課題があった。また、室内熱交換器の能力帯の大きな配管に合わせてドレンカバーを大きくすると、筐体（室内機）が大きくなるという課題があった。
【０００６】
本発明は、上述のような課題を背景としてなされたものであり、従来と同様にドレン水の飛散を抑制し、従来よりも筐体の省サイズ化可能又は同一の筐体サイズで室内熱交換器の拡大による性能向上が可能で且つ作業性の良い空気調和機の室内機を得ることを目的とする。
【課題を解決するための手段】
【０００７】
本発明に係る空気調和機の室内機は、内外接続線によって室外機と接続される空気調和機の室内機であって、筐体と、前記筐体の内部に設けられた室内熱交換器と、前記室内熱交換器の側端の少なくとも一部を覆うドレンカバーと、前記ドレンカバーよりも前記筐体の前面側に、前記内外接続線が接続される端子台ユニットとを備え、前記ドレンカバーは、前記内外接続線を前記端子台ユニットに接続するように案内する配線ガイドを有するものである。
【発明の効果】
【０００８】
本発明によれば、ドレン水の飛散を抑制するドレンカバーの前方に端子台ユニットを設けているため、従来と同様にドレン水の飛散を抑制し、従来よりも筐体の省サイズ化可能又は同一の筐体サイズで室内熱交換器の拡大による性能向上が可能な空気調和機の室内機を得ることができる。また、本発明によれば、内外接続線を端子台ユニットに接続するように案内する配線ガイドを設けているため、従来よりも作業性が良くなる。
【図面の簡単な説明】
【０００９】
【図１】本発明の実施の形態１に係る室内機１００全体の斜視図である。
【図２】本発明の実施の形態１に係る室内機１００全体の分解斜視図である。
【図３】本発明の実施の形態１に係る室内機１００全体の縦断面図である。
【図４】本発明の実施の形態１に係る室内機１００の室内熱交換器２及び接続パイプ９を示す図である。
【図５】本発明の実施の形態１に係る室内機１００のドレンカバー１０の全体斜視図である。
【図６】本発明の実施の形態１に係る室内機１００の配線カバー１１の全体斜視図である。
【図７】本発明の実施の形態１に係る室内機１００のドレンカバー１０を室内熱交換器２に組み付けた状態の全体斜視図である。
【図８】本発明の実施の形態１に係る室内機１００のドレンカバー１０、配線カバー１１、及び端子台ユニット１５を示す図である。
【図９】本発明の実施の形態１に係る室内機１００の配線カバー１１をドレンカバー１０に取り付けた状態を示す図である。
【図１０】本発明の実施の形態１に係る室内機１００の配線カバー１１及び端子台ユニット１５をドレンカバー１０に取り付けた状態を示す図である。
【図１１】図１０において内外接続線１６を配線した状態を示す図で、配線カバー１１を半透明にして内部が見えるようにした図である。
【図１２】図１０において内外接続線１６を配線した状態を示す図である。
【図１３】図７において端子台ユニット１５を取り付けて内外接続線１６を配線して半透明の側面意匠パネル１ｂを合わせた（組み付けた）状態を示す図である。
【図１４】図１２において半透明の側面意匠パネル１ｂを合わせた（組み付けた）状態を示す図である。
【図１５】本発明の実施の形態１に係る室内機１００の室内熱交換器２の前方に電気品箱４を合わせた（組み付けた）状態を示す図である。
【発明を実施するための形態】
【００１０】
以下、本発明における空気調和機の室内機１００について、図面を用いて詳細に説明する。なお、以下の図面では各構成部材の大きさの関係が実際のものとは異なる場合がある。また、以下の図面において、同一の符号を付したものは、同一又はこれに相当するものであり、このことは明細書の全文において共通することとする。さらに、明細書全文に表わされている構成要素の形態は、あくまでも例示であって、これらの記載に限定されるものではない。
【００１１】
図１は本発明の実施の形態１に係る室内機１００全体の斜視図である。図２は本発明の実施の形態１に係る室内機１００全体の分解斜視図である。図３は本発明の実施の形態１に係る室内機１００全体の縦断面図である。
【００１２】
図１に示されるように、室内機１００は、例えば、空調対象空間（例えば室内）の壁面に据え付けられる壁掛け型の室内機である。室内機１００の外郭は筐体１で構成されている。筐体１の内部には、室内機１００を構成する各種部品が設けられる。
【００１３】
なお、以後の説明において「筐体１の前面側」とは、室内機１００が取り付けられる取付面とは反対側の方向を指すものとする。また、以後の説明において「筐体１の背面側」とは、室内機１００が取り付けられる取付面の方向を指すものとする。
【００１４】
図２に示されるように、室内機１００は、背面意匠パネル１ａと、側面意匠パネル１ｂと、前面意匠パネル１ｃと、室内熱交換器２と、送風ファン３と、電気品箱４と、ドレンパン５と、フィルタユニット６とを備える。
【００１５】
背面意匠パネル１ａは、筐体１の背面を構成する部材である。側面意匠パネル１ｂは、筐体１の側面及び底面を構成する部材であり、例えばネジを用いて背面意匠パネル１ａに固定される。側面意匠パネル１ｂは、筐体１の前面の一部、筐体１の底面、及び筐体１の側面を構成する部材である。なお、側面意匠パネル１ｂは、一体として構成されていてもよいし、分割して構成されていてもよい。前面意匠パネル１ｃは、筐体１の前面を構成する部材であり、例えば連結構造を用いて側面意匠パネル１ｂに固定される。前面意匠パネル１ｃは、開閉自在であり、取り外し可能に構成されている。
【００１６】
図３に示されるように、筐体１の上部には吸入口１Ａが設けられる。吸入口１Ａは、室内機１００の外部の空気を室内機１００の内部に導くための開口である。筐体１の下部には吹出口１Ｂが設けられる。吹出口１Ｂは、筐体１の内部の空気を筐体１の外部に導くための開口である。
【００１７】
室内熱交換器２は、暖房運転時において凝縮器として機能し、冷房運転時において蒸発器として機能する熱交換器であり、筐体１の内部に設けられている。送風ファン３は、吸入口１Ａ及び吹出口１Ｂ並びに室内熱交換器２を通る空気流を生成するための送風手段であり、筐体１の内部に設けられている。電気品箱４は、室内機１００の運転を行うために必要な各種電気品を収納する部材であり、筐体１の内部に設けられている。
【００１８】
ドレンパン５は、例えば、室内機１００の運転中に生じるドレン水を受ける部材である。ドレンパン５は、筐体１の側面視において、室内熱交換器２よりも下方に設けられている。フィルタユニット６は、空調対象空間の塵埃を回収するフィルタを有している。
【００１９】
上下風向調整板８は、回動自在に構成される部材であり、筐体１の内部から外部に排出される空気の上下の風向を調整するものである。接続パイプ９は、例えば、室内機１００と室外機（図示省略）とを接続する管であり、例えば中空形状である。接続パイプ９は、室内機１００の内部で発生したドレンを室外機側へ流す管を有し、筐体１の背面側下部に設けられている。
【００２０】
以下に、空気調和機の室内機１００の運転について説明する。
送風ファン３が回転されると、空気は、吸入口１Ａを通過して筐体１の内部に流入し、室内熱交換器２において熱交換する。暖房運転時においては、室内熱交換器２は凝縮器として機能するため、室内熱交換器２において熱交換された空気は暖気となり、吹出口１Ｂを通って室内へ送出される。冷房運転時においては、室内熱交換器２は蒸発器として機能するため、室内熱交換器２において熱交換された空気は冷気となり、吹出口１Ｂを通って室内へ送出される。なお、室内熱交換器２において熱交換された空気が吹出口１Ｂから吹き出される吹出方向は、上下風向調整板８によって調整される。
【００２１】
図４は本発明の実施の形態１に係る室内機１００の室内熱交換器２及び接続パイプ９を示す図である。図４に示されるように、室内熱交換器２の右側端には領域Ａが位置している。ここで領域Ａとは、例えば、室内熱交換器２から突出した配管類が設けられる領域、接続パイプ９のうち室内機１００側の接続部が設けられる領域、及び電磁弁が設けられる領域である。すなわち、領域Ａはドレン水が発生しやすい領域である。このようにドレン水が発生しやすい領域にドレンカバー１０（後述する）が設けられる。
【００２２】
なお、「室内熱交換器２の右側端」とは、図４の紙面右側に位置する室内熱交換器２の側端を指すものとする。また、「室内熱交換器２の左側端」とは、図４の紙面左側に位置する室内熱交換器２の側端を指すものとする。
【００２３】
また、図４においては、室内熱交換器２の右側端を領域Ａであると仮定して説明したが、これに限定されない。例えば、室内熱交換器２の左側端を領域Ａとしてもよい。この場合には、室内熱交換器２の左側端にドレンカバー１０が設けられることになる。
【００２４】
図５は本発明の実施の形態１に係る室内機１００のドレンカバー１０の全体斜視図であり、左右の図はドレンカバー１０を異なる方向から見た図である。図６は本発明の実施の形態１に係る室内機１００の配線カバー１１の全体斜視図であり、左右の図は配線カバー１１を異なる方向から見た図である。
【００２５】
図５に示されるドレンカバー１０は、室内機１００内において発生するドレン水が筐体１の前面側等に飛散することを抑制する部材である。ドレンカバー１０は、領域Ａにおいて発生したドレン水を受け、受けたドレン水をドレンパン５に導くように機能する。ドレンカバー１０は、室内熱交換器２の側端の少なくとも一部を覆うように設けられ、配線ガイド１０ａを有する。
【００２６】
配線ガイド１０ａは、内外接続線１６（図１１）を案内するための部位であり、例えば凹形状の溝部１０ａ１が設けられている。溝部１０ａ１は内外接続線１６を収納するための溝部である。図中の点線は、内外接続線１６が配線ガイド１０ａに設けられる場所の一例を示す仮想線である（仮想線Ｌ）。
【００２７】
図６に示される配線カバー１１は、底部１１ａと、立ち上がり部１１ｂとを有する部材であり、例えば凹形状で構成されている。配線カバー１１は、ドレンカバー１０の凹形状の配線ガイド１０ａの開口部を覆うものである。底部１１ａは、配線カバー１１の凹形状の底部を構成する部位である。立ち上がり部１１ｂは、底部１１ａの幅方向（短手方向）の両端から立ち上がる部位である。
【００２８】
図７は本発明の実施の形態１に係る室内機１００のドレンカバー１０を室内熱交換器２に組み付けた状態の全体斜視図である。図８は本発明の実施の形態１に係る室内機１００のドレンカバー１０、配線カバー１１、及び端子台ユニット１５を示す図である。図９は本発明の実施の形態１に係る室内機１００の配線カバー１１をドレンカバー１０に取り付けた状態を示す図である。図１０は本発明の実施の形態１に係る室内機１００の配線カバー１１及び端子台ユニット１５をドレンカバー１０に取り付けた状態を示す図である。
【００２９】
図７，図８に示されるように、室内熱交換器２の側端（図４の領域Ａ）にはドレンカバー１０が設けられている。ドレンカバー１０は、室内熱交換器２の側方及び前方に位置している。室内機１００が取り付けられた状態において、配線ガイド１０ａは筐体１の前面側に向かうにつれて上方に傾斜している。すなわち、配線ガイド１０ａが内外接続線１６を案内する方向は、筐体１の前面側で且つ筐体１の上面側となっている。また、室内機１００が取り付けられた状態において、配線ガイド１０ａは側端から外方に向かって開放している。図８に示されるように、端子台ユニット１５は接続部１５ａを有する。接続部１５ａは、内外接続線１６（図１１）が接続される部位である。
【００３０】
図８に示される配線カバー１１をドレンカバー１０に取り付けることで、ドレンカバー１０と配線カバー１１との位置関係は図９に示されるようになる。このように、配線カバー１１を配線ガイド１０ａに取り付けることで、挿入空間２０、第１開口部２０ａ、及び第２開口部２０ｂが設けられる。挿入空間２０は、配線ガイド１０ａの内面側及び配線カバー１１の内面側に設けられ、内外接続線１６を通す空間である。第１開口部２０ａ及び第２開口部２０ｂの詳細については後述する。
【００３１】
図８に示される配線カバー１１及び端子台ユニット１５をドレンカバー１０に取り付けることで、ドレンカバー１０と配線カバー１１との位置関係、ドレンカバー１０と端子台ユニット１５との位置関係は、図１０に示されるようになる。このとき、端子台ユニット１５はドレンカバー１０の前方に設けられている。また、端子台ユニット１５は、配線ガイド１０ａの上方に位置している。また、接続部１５ａは第２開口部２０ｂの前方且つ上方に設けられている。また、接続部１５ａは、筐体１の正面視において、配線ガイド１０ａの直上に設けられている。具体的には、筐体１の正面視において、第２開口部２０ｂの直上に接続部１５ａが設けられている。すなわち、接続部１５ａと第１開口部２０ａとが同一直線上に設けられている。このため、作業者は、第２開口部２０ｂを介して挿入空間２０の外部に導出された内外接続線１６の端部１６ａを左右方向（室内熱交換器２の幅方向）に折り曲げないで接続部１５ａに接続することができる。したがって、作業性が良くなる。
【００３２】
なお、以上の説明においては、配線ガイド１０ａが凹形状の溝部１０ａ１を有する例について説明したが、これに限定されない。例えば、配線ガイド１０ａが凹形状の溝部１０ａ１を有さず筒形状で構成される場合には、配線カバー１１を省略してもよい。このようにしても、挿入空間２０、第１開口部２０ａ（図１１）、及び第２開口部２０ｂを形成することができる。
【００３３】
図１１は図１０において内外接続線１６を配線した状態を示す図で、配線カバー１１を半透明にして内部が見えるようにした図である。図１２は図１０において内外接続線１６を配線した状態を示す図である。なお、図１１は、配線状態を明確にするために配線カバー１１を半透明で表している点で図１２と相違する。
【００３４】
図１１，図１２に示されるように、配線ガイド１０ａ及び配線カバー１１は内外接続線１６の周囲を囲むように設けられている。内外接続線１６は、室内機１００と室外機とを電気的に接続する信号線である。内外接続線１６のうち室内機１００側の端部である端部１６ａは接続部１５ａに接続されている。第１開口部２０ａは、挿入空間２０の外部に位置する内外接続線１６を挿入空間２０の内部に導入するための開口部である。第２開口部２０ｂは、挿入空間２０の内部に位置する内外接続線１６を挿入空間２０の外部に導出するための開口部である。第２開口部２０ｂは第１開口部２０ａよりも筐体１の前面側に位置している。
【００３５】
図１３は図７において端子台ユニット１５を取り付けて内外接続線１６を配線して半透明の側面意匠パネル１ｂを合わせた（組み付けた）状態を示す図である。図１４は図１２において半透明の側面意匠パネル１ｂを合わせた（組み付けた）状態を示す図である。図１５は本発明の実施の形態１に係る室内機１００の室内熱交換器２の前方に電気品箱４を合わせた（組み付けた）状態を示す図である。なお、図１３，図１４においては、側面意匠パネル１ｂの内部の部材が見えるように側面意匠パネル１ｂを半透明で表している。
【００３６】
図１３は、配線カバー１１がドレンカバー１０に組み付けられていない状態で、側面意匠パネル１ｂを合わせている。図１４は、配線カバー１１がドレンカバー１０に組み付けられた状態で、側面意匠パネル１ｂを合わせている。図１３に示される状態においては、ドレンカバー１０が配線カバー１１によって覆われていないため、内外接続線１６が、側面意匠パネル１ｂとの隙間などの意図せぬ所に入ってしまう可能性がある。これに対して、図１４に示される状態においては、ドレンカバー１０が配線カバー１１によって覆われているため、内外接続線１６が、側面意匠パネル１ｂとの隙間などの意図せぬ所に入ってしまう可能性を低減できる。
【００３７】
以下に、室内機１００の構成部品の取付手順について説明する。
まず、作業者は、室内熱交換器２の側端にドレンカバー１０を取り付け、ドレンカバー１０に端子台ユニット１５及び配線カバー１１を取り付ける。次に、作業者は、ドレンカバー１０及び配線カバー１１の下方において内外接続線１６を把持した状態で、第１開口部２０ａを介して挿入空間２０の内部に内外接続線１６を挿入する。
【００３８】
次に、作業者は、第２開口部２０ｂを介して挿入空間２０の内部を確認しながら、内外接続線１６に対して前方で且つ上方に向かう力を加えていく。そうすると、内外接続線１６の端部１６ａが第２開口部２０ｂを介して挿入空間２０から導出される。内外接続線１６の端部１６ａが第２開口部２０ｂを介して挿入空間２０から導出されると、作業者は、内外接続線１６を上方に折り曲げて接続部１５ａに端部１６ａを導く。こうして、接続部１５ａと内外接続線１６の端部１６ａとが接続される。
【００３９】
なお、以上の説明においては、筐体１にドレンカバー１０を取り付けた後に、ドレンカバー１０に配線カバー１１を取り付ける例について説明したが、これに限定されない。例えば、ドレンカバー１０に配線カバー１１を取り付けた状態で、筐体１にドレンカバー１０を取り付けてもよい。内外接続線１６を配線するとき、筐体１にドレンカバー１０が取り付けられており、ドレンカバー１０に配線カバー１１が取り付けられた状態となっていればよい。また、端子台ユニット１５と配線カバー１１の取付順序は特に限定されるものではない。すなわち、端子台ユニット１５が取り付けられた後に配線カバー１１が取り付けられるようにしてもよいし、配線カバー１１が取り付けられた後に端子台ユニット１５が取り付けられるようにしてもよい。
【００４０】
以上のように、本実施の形態１に係る空気調和機の室内機１００によれば、ドレン水の飛散を抑制するドレンカバー１０の前方に端子台ユニット１５を設けているため、従来と同様にドレン水の飛散を抑制し、従来よりも筐体１の省サイズ化可能又は同一の筐体サイズで室内熱交換器２の拡大による性能向上が可能な空気調和機の室内機１００を得ることができる。また、特に、ドレンカバー１０の前方に空隙が設けられているような場合においては、当該空隙を有効に活用することができる。また、端子台ユニット１５と一体化していた為に幅（深さ）を要していた電気品箱４のサイズを縮小することができる。また、内外接続線１６を端子台ユニット１５に接続するように案内する配線ガイド１０ａを設けているため、従来よりもリード線の接続や配線作業が容易で且つ確実に行うことができ作業性が良くなる。
【００４１】
また、本実施の形態１に係る空気調和機の室内機１００によれば、配線ガイド１０ａの溝部１０ａ１を覆う配線カバー１１を有する。このため、配線カバー１１は、配線ガイド１０ａとともに内外接続線１６の通り道を確保することができ、側面意匠パネル１ｂとの隙間等の意図しない箇所に内外接続線１６が入る可能性を低減でき、作業性が向上する。なお、配線ガイド１０ａが、溝部１０ａ１を有しない筒形状で構成される場合においても同様の効果を奏する。
【００４２】
また、本実施の形態１に係る空気調和機の室内機１００によれば、筐体１の正面視において、配線ガイド１０ａの直上に接続部１５ａが設けられている。具体的には、筐体１の正面視において、第２開口部２０ｂの直上に接続部１５ａが設けられている。すなわち、接続部１５ａと第１開口部２０ａとが同一直線上に設けられている。このため、作業者は、第２開口部２０ｂを介して挿入空間２０の外部に導出された内外接続線１６の端部１６ａを左右方向（室内熱交換器２の幅方向）に折り曲げないで接続部１５ａに接続することができる。したがって、作業性が良くなる。
【００４３】
また、本実施の形態１に係る空気調和機の室内機１００によれば、配線ガイド１０ａは筐体１の前面側に向かうにつれて上面側に傾斜している。このため、作業者は、内外接続線１６を端子台ユニット１５の接続部１５ａに容易に導くことができる。
【００４４】
なお、端子台ユニット１５を構成する部品の一部を室内熱交換器２の前方に設けるようにしてもよい。具体的には例えば、図１５に示されるように、室内熱交換器２の前方に電気品箱４を設け、端子台ユニット１５と電気品箱４とをリード線を介して接続してもよい。
【００４５】
これにより、従来においては筐体１の側面に設けられていた電気品箱４のスペースを有効活用することができる。したがって例えば、従来の室内機において電気品箱４が占めていた筐体１の長手方向のスペース分だけ室内熱交換器２を左右方向（長手方向）に長くして室内熱交換器２の熱交換率を向上させることができる。また例えば、従来の室内機において電気品箱４が占めていたスペースを必要としなくなるため、筐体１の（長手方向の）幅を小さくすることができ室内機１００をコンパクト化することができる。電気品箱４は、例えば、リード線を介して端子台ユニット１５に接続される。
【００４６】
また、ラインでは、筐体１の背面側を下にした状態で生産するが、リード線の配線等を筐体１の前面側で対応することができるため、作業性が向上する。ここで、市場において、室内熱交換器２の前方に電気品箱４を設けた場合には、電気品箱４と対向する壁際に室内機１００を据え付けた場合に比べ、サービス時は壁がすぐ脇にあるために作業し辛くなって作業性を損なう可能性を低減できる。これにより、製品組み立て及びサービス作業時において、リード線の配線等を行いやすくなるため、作業性が向上する。
【符号の説明】
【００４７】
１  筐体、１Ａ  吸入口、１Ｂ  吹出口、１ａ  背面意匠パネル、１ｂ  側面意匠パネル、１ｃ  前面意匠パネル、２  室内熱交換器、３  送風ファン、４  電気品箱、５  ドレンパン、６  フィルタユニット、８  上下風向調整板、９  接続パイプ、１０  ドレンカバー、１０ａ  配線ガイド、１０ａ１  溝部、１１  配線カバー、１１ａ  底部、１１ｂ  立ち上がり部、１５  端子台ユニット、１５ａ  接続部、１６  内外接続線、１６ａ  端部、２０  挿入空間、２０ａ  第１開口部、２０ｂ  第２開口部、１００  室内機、Ａ  領域、Ｌ  仮想線。
【図１】
2016038170.tif 000003
【図２】
2016038170.tif 000004
【図３】
2016038170.tif 000005
【図４】
2016038170.tif 000006
【図５】
2016038170.tif 000007
【図６】
2016038170.tif 000008
【図７】
2016038170.tif 000009
【図８】
2016038170.tif 000010
【図９】
2016038170.tif 000011
【図１０】
2016038170.tif 000012
【図１１】
2016038170.tif 000013
【図１２】
2016038170.tif 000014
【図１３】
2016038170.tif 000015
【図１４】
2016038170.tif 000016
【図１５】
2016038170.tif 000017